(57)【特許請求の範囲】
【請求項１】
内部に電線挿通孔を連通する本体筒部の一端部を計器ボックスの開口部へ挿入するボックス挿入部とするとともに他端部を電線引込管柱の開口部へ挿入する管柱挿入部とし、本体筒部の管柱挿入部とボックス挿入部との間の部分のボックス挿入部側の端部の外周に計器ボックスに当接する当接部を設け、先端が自由端となった押圧により弾性変形して電線引込管柱に当接する略筒状の弾性スカート部を本体筒部の管柱挿入部とボックス挿入部との間の部分の管柱挿入部側の端部の外周に設け、開口部防水部材を計器ボックスに仮止め係止する係止部を本体筒部の管柱挿入部とボックス挿入部との間の部分のボックス挿入部側の端部に突設し、当接部の計器ボックスとの当接面にパッキンを設け、弾性スカート部は管柱挿入部の先端側ほど大径となるよう傾斜し、弾性スカート部の自由端の上端部と下端部に弾性スカート部を電線引込管柱に対して隙間なく当接するための切り欠きを設けて成ることを特徴とする電線引込管柱の開口部防水部材。
【発明の詳細な説明】
【０００１】
【発明の属する技術分野】
本発明は、電線引込管柱の開口部と計器ボックスの開口部に挿入して防水する電線引込管柱の開口部防水部材に関するものである。
【０００２】
【従来の技術】
道路沿いに配置された電柱間に張り巡らされている電力線や電話線等を各々の需要家に引き込むにあたっては、各々の需要家の敷地内において、中空管である電線引込用の管柱をその下端部を地面に埋設することで地面より立設し、電力線や電話線等より分岐された引込み電線を管柱の上端部に設けた引込口から管柱内へ引き込み、管柱内を挿通して地面下まで導き、地中管内を這わせて各々の需要家内へ引き込むという方法が採られている。この際、管柱内を挿通する引込み電線の途中に電力計等の計器類を接続するため、計器類を内部に収納した計器ボックスを管柱の途中外面に配置し、管柱に設けた開口部より引込み電線を一度管柱外に導出して計器ボックスに設けた開口部より計器ボックス内へ導入し、計器ボックス内の計器類に接続した後、再び計器ボックスの開口部より導出して管柱の開口部より管柱内へ戻すといった処置が施されている。そしてこの時に、引込み電線を導出入する管柱の開口部と計器ボックスの開口部との間に開口部防水部材を設け、管柱と計器ボックスとで挟着することによって開口部に対する防水を行っているものである。
【０００３】
上記の開口部防水部材としては従来より、図３に示す従来例１（実開平１−１５０４２３の実施例）や、図４に示す従来例２（実開昭６３−２４２０７の実施例）などの開口部防水部材が用いられている。
【０００４】
しかしながら、図３に示す従来例１においては、略筒状の開口部防水部材７ａの一端部を計器ボックス１１の開口部１２に挿入して係止し、他端部を管柱１３の開口部１４の周辺面１４ａに当接させて防水を行うものであった。このように、略筒状をした開口部防水部材７ａの一端部を開口部１２に挿入して係止するのみであり、他端部は管柱開口部周辺面１４ａに当接させるのみであったため、開口部１２，１４に対する防水性が悪く、特に、開口部防水部材７ａと当接する曲面である管柱開口部周辺面１４ａにゆがみ等が存在する場合には、当接部位に隙間が生じてその隙間から雨水が管柱内へ簡単に侵入するため、管柱１３側の開口部１４に対する防水性が極めて悪いといった問題点があった。
【０００５】
また図４に示す従来例２においては、略筒状の防水部材本体７ｂ′の一端部を計器ボックス開口部１２へ挿入すると共に他端部を管柱開口部１４へ挿入して係止し、さらに、計器ボックス開口部周辺面１２ａと管柱開口部周辺面１４ａを、防水部材本体７ｂ′の外周面から突設された計器ボックス側当接部１７と管柱側当接部１８によって夫々当接させて覆い被せ、開口部１２，１４に対する防水を行うものであった。このような構成となっているため、従来例１のように管柱１３側において開口部防水部材７ａを管柱開口部周辺面１４ａに当接させるだけでなく、開口部防水部材７ｂの管柱側当接部１８を管柱開口部周辺面１４ａに当接させると共に開口部防水部材７ｂの端部を管柱開口部１４内に挿入するものであるが、以下に述べるような理由によって当接部に隙間が生じて雨水が管柱１３内へ侵入するといった問題点があった。すなわち、計器ボックス側当接部１７と管柱側当接部１８は連結片１９によって連結された構成となっているので、開口部防水部材７ｂを管柱１３と計器ボックス１１とで挟着しても、連結片１９による拘束のため計器ボックス側当接部１７と管柱側当接部１８の変形が制限され、このため計器ボックス１１や管柱１３にゆがみ等が存在する場合には、計器ボックス側当接部１７と管柱側当接部１８が計器ボックス開口部周辺面１２ａや管柱開口部周辺面１４ａに沿うように変形できず、特に、曲面である管柱開口部周辺面１４ａに沿わせて管柱側当接部１８を変形させ、全周に亘って均等に当接させることは難しく、この当接部位に大きな隙間が生じて雨水が侵入するというものであった。
【０００６】
【発明が解決しようとする課題】
本発明は上記の点に鑑みてなされたものであり、その目的とするところは、管柱や計器ボックスに変形やゆがみが存在しても、開口部防水部材が管柱や計器ボックスとの当接面に合わせて弾性変形し、当接面に隙間が生じることなく防水機能を充分に発揮できるような電線引込管柱の開口部防水部材を提供することを課題とするものである。
【０００７】
【課題を解決するための手段】
上記課題を解決するために本発明に係る電線引込管柱の開口部防水部材は、内部に電線挿通孔１を連通する本体筒部２の一端部を計器ボックス１１の開口部１２へ挿入するボックス挿入部３とするとともに他端部を電線引込管柱１３の開口部１４へ挿入する管柱挿入部４とし、本体筒部２の管柱挿入部４とボックス挿入部３との間の部分のボックス挿入部３側の端部の外周に計器ボックス１１に当接する当接部５を設け、先端が自由端６ａとなった押圧により弾性変形して電線引込管柱１３に当接する略筒状の弾性スカート部６を本体筒部２の管柱挿入部４とボックス挿入部３との間の部分の管柱挿入部４側の端部の外周に設け、開口部防水部材を計器ボックス１１に仮止め係止する係止部９を本体筒部２の管柱挿入部４とボックス挿入部３との間の部分のボックス挿入部３側の端部に突設し、当接部５の計器ボックス１１との当接面にパッキン１０を設け、弾性スカート部６は管柱挿入部４の先端４ａ側ほど大径となるよう傾斜し、弾性スカート部６の自由端６ａの上端部と下端部に弾性スカート部６を電線引込管柱１３に対して隙間なく当接するための切り欠き８を設けることを特徴とするものである。このような構成とすることで、開口部防水材７が計器ボックス１１と電線引込管柱１３に挟着された時に、当接部５が計器ボックス１１に当接すると共に弾性スカート部６が電線引込管柱１３外面に沿って変形，当接するので、開口部１２，１４に対して防水でき、このとき、開口部防水部材７を計器ボックス１１に仮止めできると共に、パッキン１０によって計器ボックス１１の開口部１２の防水を確実に行うことができるものである。
【０００９】
【発明の実施の形態】
以下、本発明を図１，図２に示す実施形態に基づいて説明する。
【００１０】
本実施形態における電線引込管柱１３の開口部防水部材７は、内部に電線挿通孔１を連通する略筒状の本体筒部２に、その一端部にボックス挿入部３を設けると共に他端部に管柱挿入部４を設け、さらにボックス挿入部３の基部外周に計器ボックス１１と当接する当接部５を設け、管柱挿入部４外周に弾性スカート部６を設けた構成となっており、弾性を有する硬質の合成樹脂にて一体的に成形されている。
【００１１】
本体筒部２は、断面が上下方向に長い略楕円形の略筒形状となっており、一端部に計器ボックス１１の開口部１２へ挿入するボックス挿入部３を設け、他端部に電線引込管柱１３の開口部１４へ挿入する管柱挿入部４を設けてあり、これら本体筒部２，ボックス挿入部３，管柱挿入部４の内部には電線挿通孔１が連通されている。
【００１２】
本体筒部２の一端部に設けたボックス挿入部３は、断面が本体筒部２断面と略同形状の略筒状となっており、内部の電線挿通孔１に引込み電線（図示せず）を挿通し、断面がボックス挿入部３の断面外周と略同形状の計器ボックス開口部１２に挿入して嵌合するものである。また、ボックス挿入部３の基部外周には計器ボックス１１に当接するフランジ状の当接部５が設けてあり、ボックス挿入部３を計器ボックス開口部１２に挿入した時に、計器ボックス開口部１２の周辺面１２ａにパッキン１０を介して当接させるものである。さらに、当接部５のボックス挿入部先端３ａ側に隣接して、ボックス挿入部３外周に、開口部防水部材７を計器ボックス１１に仮止め係止する係止部９が設けてあり、ボックス挿入部３を計器ボックス開口部１２に挿入して嵌合し、パッキン１０を介して当接部５を計器ボックス開口部１２の周辺面１２ａに当接させた状態での仮止めを可能とするものである。
【００１３】
本体筒部２の他端部に設けた管柱挿入部４は、断面が本体筒部２断面と略同形状の略筒状となっており、内部の電線挿通孔１に引込み電線を挿通し、断面が管柱挿入部４の断面外周より幾分大きい寸法形状の管柱開口部１４に挿入するものであり、外周には弾性スカート部６が設けられている。
【００１４】
弾性スカート部６は、管柱挿入部４の先端４ａ側へ行く程径が大きくなるように傾斜して設けられ、その先端が自由端６ａとなっているスカート状のものである。先端が自由端６ａであるので、押圧で弾性変形して電線引込管柱１３に隙間なく当接し、管柱開口部１４の周辺面１４ａを覆って防水することが可能となるものである。また、弾性スカート部６には自由端６ａの上端部と下端部に切り欠き８が設けてあり、これは押圧によって弾性スカート部６が電線引込管柱１３外面に沿って変形して当接し、電線引込管柱１３との間に隙間が生じることを確実に防止するものである。
【００１５】
当接部５の計器ボックス１１との当接面には発泡合成樹脂のパッキン１０を設け、計器ボックス開口部１２における防水を確実に行うものである。
【００１６】
以上のような構成の電線引込管柱１３の開口部防水部材７を用いて、計器ボックス１１と電線引込管柱１３の開口部１２，１４の防水を行うのであるが、その施行法は、電線引込管柱１３の上下方向の２箇所に固着バンド１５を締結固定して設け、計器ボックス１１の電線引込管柱１３との対向面の上下方向の２箇所に固着部１６を設け、この固着部１６を固着バンド１５に固着するのであるが、このとき、電線引込管柱１３と計器ボックス１１の開口部１２，１４間に開口部防水部材７を介在させて防水を行うものであり、以下に更に詳しく説明する。
【００１７】
まずパッキン１０を当接部５の計器ボックス１１との当接面に装着し、ボックス挿入部３を計器ボックス開口部１２に挿入し、パッキン１０を計器ボックス１２に当接させてボックス挿入部３の係止部９を計器ボックス開口部１２に嵌め込んで仮止め係止する。
【００１８】
電線引込管柱１３の上下方向の２箇所には、計器ボックス１１を固着する固着バンド１５を電線引込管柱１３に予め締め付けて固定しておく。固着バンド１５は一般的には半円弧状のバンド一対から成り、電線引込管柱１３外周に嵌めて両方のバンドで締め付け、バンドの両端部に連設した締結片をボルト，ナットで締結することで電線引込管柱１３に固定するものである。そして固着バンド１５には計器ボックス１１を固着するための固着孔（図示せず）が設けてあり、この固着孔に計器ボックス１１の固着部１６に設けた孔（図示せず）を連通させてビス止め等で固着するようになっている。
【００１９】
開口部防水部材７をボックス開口部１２に挿入して仮止め係止した計器ボックス１１は、上側の固着部１６ａを電線引込管柱１３に固定した上側の固着バンド１５ａにビス止め等によって仮固着し、固着部１６ａを中心として計器ボックス１１を回動させ、仮止めされた開口部防水部材７の管柱挿入部４を管柱開口部１４に挿入する。
【００２０】
この状態で、計器ボックス１１の下端部を電線引込管柱１３に押さえ付けて開口部防水部材７を挟着し、弾性スカート部６を管柱開口部１４の周辺面１４ａに沿うように変形，当接させると共に当接部５を計器ボックス開口部１２の周辺面１２ａに当接させ、上下の固着部１６ａ，１６ｂを夫々上下の固着バンド１５ａ，１５ｂに固着するものである。そして計器ボックス１１を電線引込管柱１３に押さえ付ける際、上側において固着バンド１５ａに仮固着した固着部１６ａを支点として、計器ボックス１１の下端部を電線引込管柱１３へと押さえ付け、てこの原理に因り計器ボックス１１の下端部に加える力よりも大きな力で、弾性スカート部６を電線引込管柱１３に接触させて変形，当接させることが可能となるものである。
【００２１】
以上のようにして計器ボックス１１と電線引込管柱１３の開口部１２，１４間に設けた開口部防水部材７は、計器ボックス１１側はパッキン１０を介して当接し、電線引込管柱１３側は弾性スカート部６を変形させて当接しているので、防水性に優れるものである。これに加えて、管柱挿入部４は電線引込管柱１３内に突出しており、開口部防水部材７を取付けた計器ボックス１１を電線引込管柱１３に固着する際のガイドとなると共に、電線引込管柱１３上部から流下する雨水が計器ボックス１１内に侵入することを防止するものである。また、弾性スカート部６の上下２箇所に切り欠き８を設けたことによって、弾性スカート部６を電線引込管柱１３に対して隙間なく当接することができると共に、弾性スカート部６に局部的な過剰応力が発生することを防止でき、経年劣化を抑えることができるものである。
【００２２】
また、開口部防水部材７の計器ボックス１１側の当接については、ボックス挿入部３に設けた当接部５の当接面にパッキン１０を設けて計器ボックス１１に当接させるものであり、電線引込管柱１３側のように弾性スカート部６を設けてこれを直接変形，当接させるものではないのであるが、これは、計器ボックス１１側も電線引込管柱１３側と同様に弾性スカート部６状の当接部を設けて変形，当接させると、電線引込管柱１３と比べて肉厚の薄い計器ボックス１１が変形するため、本実施例のように当接部５をフランジ状にして計器ボックス１１と平面同士で対向するようにし、その間に比較的軟らかい発泡性のパッキン１０を介在させているものである。
【００２３】
【発明の効果】
上記のように本発明の請求項１記載の発明にあっては、内部に電線挿通孔を連通する本体筒部の一端部を計器ボックスの開口部へ挿入するボックス挿入部とするとともに他端部を電線引込管柱の開口部へ挿入する管柱挿入部とし、本体筒部の管柱挿入部とボックス挿入部との間の部分のボックス挿入部側の端部の外周に計器ボックスに当接する当接部を設け、先端が自由端となった押圧により弾性変形して電線引込管柱に当接する略筒状の弾性スカート部を本体筒部の管柱挿入部とボックス挿入部との間の部分の管柱挿入部側の端部の外周に設け、開口部防水部材を計器ボックスに仮止め係止する係止部を本体筒部の管柱挿入部とボックス挿入部との間の部分のボックス挿入部側の端部に突設し、当接部の計器ボックスとの当接面にパッキンを設け、弾性スカート部は管柱挿入部の先端側ほど大径となるよう傾斜し、弾性スカート部の自由端の上端部と下端部に弾性スカート部を電線引込管柱に対して隙間なく当接するための切り欠きを設けたので、開口部防水材を計器ボックスと電線引込管柱に挟着された時に、弾性スカート部が変形して略筒状の電線引込管柱の曲面である外面に当接し、弾性スカート部を電線引込管柱との間に隙間が生じること防止すると共に、弾性スカート部に切り欠きを設けあるので、局部的な過剰応力が発生することを防止でき、経年劣化を抑えることができるものであり、このとき、開口部防水部材を計器ボックスに仮止めできると共に、パッキンによって計器ボックスの開口部の防水を確実に行うことができるものである。
【図面の簡単な説明】
【図１】本発明の一実施形態の開口部防水部材を用いて施工した状態を示し、（ａ）は側面図であり、（ｂ）はＡ部の拡大断面図である。
【図２】本発明の一実施形態を示し、（ａ）は断面図であり、（ｂ）は正面図であり、（ｃ）は側面図であり、（ｄ）は下面図である。
【図３】従来例１の断面図である。
【図４】従来例２の断面図である。
【符号の説明】
１    電線挿通孔
２    本体筒部
３    ボックス挿入部
４    管柱挿入部
５    当接部
６    弾性スカート部
７    開口部防水材
８    切り欠き
９    係止部
１０  パッキン
１１  計器ボックス
１２  計器ボックス開口部
１３  電線引込管柱
１４  電線引込管柱開口部
【図１】
0003617415.tif 000002
【図２】
0003617415.tif 000003
【図３】
0003617415.tif 000004
【図４】
0003617415.tif 000005